(57)【要約】      （修正有）【課題】電極ロッドを有する電気溶接において、トーチスイッチを押しながら、溶接電流調整ができる溶接電流調整器を備える電機溶接機用トーチ。【解決手段】電極ロッド６を有するトーチヘッド３と、このトーチヘッドを先端に装備すると共に電流調整器１を設け、且つ後端よりリード線１ａを引き出した筒状握手２と、この筒状握手と、前記トーチヘッドとの間に介在し、且つ筒状握手の先端と後端とを結ぶ線に対し、直交する方向に回転する回転操作円板１０と、この回転操作円板の外径より小径でその外周に位置し、且つ回転操作円板の回転に追随して回転すると共に、電流調整器に連結された回転子１１とで成した、電気溶接機用トーチ。【選択図】図２
2007275918.tif 000002
【特許請求の範囲】
【請求項１】
電極ロッドを有するトーチヘッドと、このトーチヘッドを先端に装備すると共に電流調整器を設け、且つ後端よりリード線を引き出した筒状握手と、この筒状握手と前記トーチヘッドとの間に介在し、且つ筒状握手の先端と後端とを結ぶ線に対し直交する方向に回転する回転操作円板と、この回転操作円板の外径より小径でその外周に位置し、且つ回転操作円板の回転に追随して回転すると共に、電流調整器に連結された回転子とで成したことを特徴とする電気溶接機用トーチ。
【請求項２】
回転操作円板及び回転子をギアとして、回転追従することを特徴とする請求項1記載の電気溶接機用トーチ。
【請求項３】
回転操作円板の回転を、ベルトを介して回転子に伝達することを特徴とする請求項1記載の電気溶接機用トーチ。
【発明の詳細な説明】
【技術分野】
【０００１】
本発明は、電極ロッドを有する電気溶接作業において、溶接作業中に溶接ビートの溶融状態を監視しながら溶接電流の調整を、溶接トーチを保持した手で、容易に、小さい動作角度で、溶接電流の調整を行う電気溶接機用トーチ。
【背景技術】
【０００２】
この種電気溶接機用トーチとして下記特許文献が存在する。
即ち図1の斜視図に示す如くトーチの筒状握手イの先端近傍の側部に電流調整器ロを装備し、その電流調整用の回転操作円板ハを指先にて回転させるようにしている。
而して、筒状握手イの先端と後端とを結ぶ線、所謂長手方向と平行(前後方向)に回転させるようにしている。
ところが、実際に回転操作円板ハを指先にて回転させるとなると、親指はトーチスイッチニを押えなければならないので、他の指先にて回転させなければならいが、この保持の方法では親指でトーチスイッチニを押したまま回転操作円板ハを指先にて回転させることは不可能で、溶接実施作業を中断することになる。勿論電流調整器ロを反対側即ち、手のひら側に位置させることも考えられるが、これでは指先で触れることが出来ず、結局は同じ様に、溶接実施作業を中断して回転操作円板ハを回転させることとなる。
溶接実施作業を中断することは、溶接ビートの継ぎ目を増加させる結果となるため、溶接ビートの継ぎ目の欠陥として、ピンホール等の溶接不良を招きやすい。
更に電流調整器ロ内部の回転式可変抵抗器に回転操作円板ハが直接取り付けてある為に操作角度は約1回転となる。その為回転操作円板ハを操作する指は長手方向に何度も往復する必要がある。
【特許文献１】登録実用新案第3030953
【発明の開示】
【発明が解決しようとする課題】
【０００３】
本発明は、電極ロッドを有する溶接トーチによる、電気溶接作業において溶接トーチを保持した手の指でトーチスイッチを押したまま、他の指で回転操作円板を回転させることによって、溶接トーチを保持した手の指で溶接実施作業を、中断することなく溶接電流調整を、少ない操作で行うことが出来る電気溶接機用トーチ。
【課題を解決するための手段】
【０００４】
電極ロッドを有するトーチヘッドと、このトーチヘッドを先端に装備すると共に電流調整器を設け、且つ後端よりリード線を引き出した筒状握手と、この筒状握手と、前記トーチヘッドとの間に介在し、且つ筒状握手の先端と後端とを結ぶ線に対し、直行する方向に回転する回転操作円板と、この回転操作円板の外径より小径でその外周に位置し、且つ回転操作円板の回転に追随して回転すると共に、電流調整器に連結された回転子とで成した事によって溶接トーチを保持した手の指でトーチスイッチを押したまま、他の指で回転操作円板を操作することにより溶接実施作業を中断することなく溶接電流調整をすることが出来る電気溶接機用トーチ。
【発明の効果】
【０００５】
（１）請求項１により、トーチヘッドと筒状握手との間に筒状握手先端と後端とを結ぶ線に対し、直交する方向に回転する回転操作円板を装備することで、溶接トーチを保持した手の指でトーチスイッチを押したまま、他の指で回転操作円板を操作することが出来る。
且つ回転操作円板に追随する回転操作円板より小さい回転子を、電流調整器の回転軸に連結させ回転操作円板より外周に配置することで電流調整器の回転軸を直接回転させる事になり、回転操作円板の回転角度は小さくなり溶接実施作業を中断することなく溶接電流を最弱から最強まで調整することが可能になる。
（２）請求項2により、回転操作円板及び回転子をギアとしたので、回転操作円板に入力した力を確実に電流調整器に連結された回転子に回転追従させることが出来る。
（３）請求項3により、回転操作円板の回転を、ベルトを介して回転子に伝達する事としたので、ギアに異物がかみこみ操作不良を起こすこともなくなる。
【発明を実施するための最良の形態】
【０００６】
以下発明の実施の形態を示す図面に基づき説明する。
【実施例１】
【０００７】
図2に示す如く、電気溶接機用トーチの使用状態の斜視図であって、電流調整器1を設けた筒状握手2の先端2aにトーチヘッド3を装備しその後端にはパワーケーブル4を接続している。而してこのトーチヘッド3には、トーチキャップ5を締緩することにより摩滅に応じて突き出し長さを調節する事の出来る電極ロッド6を備えその外部には、ノズル7が取り付けられている。
更にこの筒状握手先端2a付近にトーチスイッチ8を装備し、筒状握手後端2bには電流調整器1のリード線1aとトーチスイッチ8のリード線8aを引き出し、且つパワーケーブル4とリード線1aとリード線8aを収束し保護するためケーブルカバー9が筒状握手後端2bに締付接続される。
更にこの筒状握手先端2aには前記トーチヘッド3との間に回転操作円板10を回転自在に介在装備している。
具体的には筒状握手先端2aと後端2bとを結ぶ線X-Xに対し直交する方向Yに回転し、
更に回転操作円板10の回転にあわせ、電流調整器1に連結された回転子11が回転操作円板10の回転を電流調整器1に伝達する。
図3に示す如く電気溶接機用トーチの断面図であって、トーチヘッド3にトーチキャップ5を締付ける事により電極ロッド6を挿入したコレット12を傾斜部に押し付け電極ロッド6を固定し且つ、トーチヘッド3にノズル7を装備するためのコレットボディー13がトーチヘッドにねじ込まれている。
筒状握手先端2aには前記トーチヘッド3との間に介在する回転操作円板10の内径部分に位置決めと、回転時の摩擦抵抗軽減の為、回転摺動メタル14を設け、電流調整器1内部には回転式可変抵抗器15が内蔵さその回転軸16には回転子9が連結され回転操作円板10の回転を伝達する。
【実施例２】
【０００８】
図5に示す如く、トーチヘッド3を取り外し、回転操作円板10と回転子11をギアとした部分の斜視図であって、筒状握手2の先端2aと後端2bとを結んだ線X-Xに対して、回転操作円板10が、直交する方向Yに回転し、それに追随して電流調整器1に連結された回転子11が回転操作円板10の回転を電流調整器1に伝達する。
【実施例３】
【０００９】
図6に示す如く、トーチヘッド3を取り外し、回転操作円板10の回転をベルト17を介し回転子11に伝達する部分の斜視図であって、筒状握手2の先端2aと後端2bとを結んだ線X-Xに対して、回転操作円板10が、直交する方向Yに回転し、且つ回転操作円板10の回転をベルト17を介し、電流調整器1に連結された回転子11に追随させ回転操作円板10の回転を電流調整器1に伝達し且つベルト17脱落防止の為回転操作円板10を挟みベルトガイド18が装備される。
【図面の簡単な説明】
【００１０】
【図１】従来例の電気溶接機用トーチの斜視図
【図２】本発明電気溶接機用トーチの使用状態を示す斜視図
【図３】同上の断面図
【図４】同上の拡大断面図
【図５】同上の拡大要部断面図
【図６】異なる実施例を示す拡大要部断面図
【図７】同上の断面図
【図８】同上の拡大断面図
【図９】使用状態を示す斜視図
【図１０】同上正面図
【符号の説明】
【００１１】
1  電流調整器
1a電流調整器リード線
2  筒状握手
2a 筒状握手先端
2b 筒状握手後端
3  トーチヘッド
6  電極ロッド
10回転操作円板
11回転子
X  筒状握手の先端と筒状握手後端結んだ線
Y  回転操作円板の回転方向
【図１】
2007275918.tif 000003
【図２】
2007275918.tif 000004
【図３】
2007275918.tif 000005
【図４】
2007275918.tif 000006
【図５】
2007275918.tif 000007
【図６】
2007275918.tif 000008
【図７】
2007275918.tif 000009
【図８】
2007275918.tif 000010
【図９】
2007275918.tif 000011
【図１０】
2007275918.tif 000012